(57)【特許請求の範囲】
【請求項１】
降雨する雨水や水道水を溜める貯水タンクにおいて、該貯水タンク内に上槽に水を溜める貯水室（１Ａ）と下槽に分室（１Ｂ）を設け、該貯水室（１Ａ）の底面に開口部（１ｂ）を形成し、貯水室（１Ａ）に溜まる水が該開口部（１ｂ）から分室（１Ｂ）内に流入し、該分室（１Ｂ）内に流入する水で上方に浮動する浮力体（２）を設け、貯水室（１Ａ）から分室（１Ｂ）内に流入する水で該浮力体（２）が浮動して前記開口部（１ｂ）を密封状態に塞ぐことで貯水室（１Ａ）内に水が溜まっていくようにし、該分室（１Ｂ）に分室（１Ｂ）内の水を導水する適当長の導水管（３）を接続し、該導水管（３）から導水される水を給水する給水管（４）に水の表面張力の毛細管現象の作用で吸水する適当長幅の吸水材（５）を設け、該吸水材（５）の吸水した水が大気中に蒸発することによって、その蒸発した水量分が分室（１Ｂ）内から導水管（３）内に導水され、その導水された水量分によって該分室（１Ｂ）内が負圧状態になることで、前記貯水室（１Ａ）内の水が分室（１Ｂ）内に開口部（１ｂ）から流入するようにした自動潅水システム。
【請求項２】
降雨する雨水や水道水を溜める貯水タンクにおいて、該貯水タンク内に上槽に水を溜める貯水室（１Ａ）と下槽に分室（１Ｂ）を設け、該貯水室（１Ａ）の底面に開口部（１ｂ）を形成し、貯水室（１Ａ）に溜まる水が該開口部（１ｂ）から分室（１Ｂ）内に流入し、該分室（１Ｂ）内に流入する水で上方に浮動する浮力体（２）を設け、貯水室（１Ａ）から分室（１Ｂ）内に流入する水で該浮力体（２）が浮動して前記開口部（１ｂ）を密封状態に塞ぐことで貯水室（１Ａ）内に水が溜まっていくようにし、該分室（１Ｂ）の下側に分室（１Ｂ）内に溜まった水を流入し一時的に溜める一時貯水室（１Ｃ）を設け、該一時貯水室（１Ｃ）に一時貯水室（１Ｃ）内の水を導水する適当長の導水管（３）を接続し、該導水管（３）から導水される水を給水する給水管（４）に水の表面張力の毛細管現象の作用で吸水する適当長幅の吸水材（５）を設け、該吸水材（５）の吸水した水が大気中に蒸発することによって、その蒸発した水量分が分室（１Ｂ）内から一時貯水室（１Ｃ）内へと流入して導水管（３）内に導水され、その導水された水量分によって該分室（１Ｂ）内が負圧状態になることで、前記貯水室（１Ａ）内の水が分室（１Ｂ）内に開口部（１ｂ）から流入するようにした自動潅水システム。
【請求項３】
降雨する雨水や水道水を溜める貯水タンクにおいて、該貯水タンクに水を溜めて集積する貯水部（１ｊ）を設け、該貯水部（１ｊ）に凹状に形成した空間部（１ｌ）と該空間部（１ｌ）の下方に開口する流入部（１ｍ）を形成し、該空間部（１ｌ）内に適当な浮力で浮動する浮力蓋体（２Ａ）を設け、該空間部（１ｌ）内に水が溜まってない状態では、該浮力蓋体（２Ａ）の自重で開口する流入部（１ｍ）を密封状態に塞ぎ、該空間部（１ｌ）内に水が溜まり該浮力蓋体（２Ａ）が水没すると、浮力蓋体（２Ａ）が作用する浮力で浮動して開口する流入部（１ｍ）との間に隙間ができて、空間部（１ｌ）内の水が貯水室（１Ａ）内に流入するようになり、該貯水室（１Ａ）に貯水室（１Ａ）内の水を導水する適当長の導水管（３）を接続し、該導水管（３）から導水される水を給水する給水管（４）に水の表面張力の毛細管現象の作用で吸水する適当長幅の吸水材（５）を設け、該吸水材（５）の吸水した水が大気中に蒸発することによって、その蒸発した水量分が貯水室（１Ａ）内から導水管（３）内に導水され、その導水された水量分によって該貯水室（１Ａ）内が負圧の密封状態に保たれるようにした自動潅水システム。
【請求項４】
降雨する雨水や水道水を溜める貯水タンクにおいて、該貯水タンクに水を溜めて集積する貯水部（１ｊ）を設け、該貯水部（１ｊ）に開口する流入部（１ｍ）を形成し、貯水タンク内に仕切り部（１ｈ）を設け、該仕切り部（１ｈ）に前記流入部（１ｍ）から流入する水を溜める偏心容器（１１）を軸支して回動自在に設け、該偏心容器（１１）内に水が溜まってない状態では、偏心容器（１１）の自重で仕切り部（１ｈ）に開口する流入部（１ｍ）を密封状態に塞ぎ、該偏心容器（１１）内に水が一定量以上溜まると偏心容器（１１）全体の重心位置が移動して偏心容器（１１）が回転し、その回転によって該偏心容器（１１）内の水が仕切り部（１ｈ）上に放水され、その水が該仕切り部（１ｈ）に開口する流入部（１ｍ）から貯水室（１Ａ）内に流入するようになり、該貯水室（１Ａ）に貯水室（１Ａ）内の水を導水する適当長の導水管（３）を接続し、該導水管（３）から導水される水を給水する給水管（４）に水の表面張力の毛細管現象の作用で吸水する適当長幅の吸水材（５）を設け、該吸水材（５）の吸水した水が大気中に蒸発することによって、その蒸発した水量分が貯水室（１Ａ）内から導水管（３）内に導水され、その導水された水量分によって該貯水室（１Ａ）内が負圧の密封状態に保たれるようにした自動潅水システム。
【請求項５】
降雨する雨水や水道水を溜める貯水タンクにおいて、該貯水タンクに水を溜めて集積する貯水部（１ｊ）を設け、該貯水部（１ｊ）に凹状に形成した空間部（１ｌ）と該空間部（１ｌ）の下方に開口する流入部（１ｍ）を形成し、該空間部（１ｌ）内に適当な浮力で浮動する浮力蓋体（２Ａ）を設け、該空間部（１ｌ）内に水が溜まってない状態では、該浮力蓋体（２Ａ）の自重で開口する流入部（１ｍ）を密封状態に塞ぎ、該空間部（１ｌ）内に水が溜まり該浮力蓋体（２Ａ）が水没すると、浮力蓋体（２Ａ）が作用する浮力で浮動して開口する流入部（１ｍ）との間に隙間ができて、空間部（１ｌ）内の水が貯水室（１Ａ）内に流入するようになり、該貯水室（１Ａ）の下側に貯水室（１Ａ）内に溜まった水を流入し一時的に溜める分室（１Ｂ）を設け、該分室（１Ｂ）に分室（１Ｂ）内の水を導水する適当長の導水管（３）を接続し、該導水管（３）から導水される水を給水する給水管（４）に水の表面張力の毛細管現象の作用で吸水する適当長幅の吸水材（５）を設け、該吸水材（５）の吸水した水が大気中に蒸発することによって、その蒸発した水量分が貯水室（１Ａ）内から分室（１Ｂ）内へと流入して導水管（３）内に導水され、その導水された水量分によって該貯水室（１Ａ）内が負圧の密封状態に保たれるようにした自動潅水システム。
【請求項６】
降雨する雨水や水道水を溜める貯水タンクにおいて、該貯水タンクに水を溜めて集積する貯水部（１ｊ）を設け、該貯水部（１ｊ）に開口する流入部（１ｍ）を形成し、貯水タンク内に仕切り部（１ｈ）を設け、該仕切り部（１ｈ）に前記流入部（１ｍ）から流入する水を溜める偏心容器（１１）を軸支して回動自在に設け、該偏心容器（１１）内に水が溜まってない状態では、偏心容器（１１）の自重で仕切り部（１ｈ）に開口する流入部（１ｍ）を密封状態に塞ぎ、該偏心容器（１１）内に水が一定量以上溜まると偏心容器（１１）全体の重心位置が移動して偏心容器（１１）が回転し、その回転によって該偏心容器（１１）内の水が仕切り部（１ｈ）上に放水され、その水が該仕切り部（１ｈ）に開口する流入部（１ｍ）から貯水室（１Ａ）内に流入するようになり、該貯水室（１Ａ）の下側に貯水室（１Ａ）内に溜まった水を流入し一時的に溜める分室（１Ｂ）を設け、該分室（１Ｂ）に分室（１Ｂ）内の水を導水する適当長の導水管（３）を接続し、該導水管（３）から導水される水を給水する給水管（４）に水の表面張力の毛細管現象の作用で吸水する適当長幅の吸水材（５）を設け、該吸水材（５）の吸水した水が大気中に蒸発することによって、その蒸発した水量分が貯水室（１Ａ）内から分室（１Ｂ）内へと流入して導水管（３）内に導水され、その導水された水量分によって該貯水室（１Ａ）内が負圧の密封状態に保たれるようにした自動潅水システム。
【請求項７】
前記偏心容器（１１）に作動部（１１ｄ）を設け、該偏心容器（１１）が回転することで作動部（１１ｄ）が蓋体（１２）を動かし、該蓋体（１２）が仕切り部（１ｈ）に開口する流入部（１ｍ）を開いたり塞いだりしながら、該仕切り部（１ｈ）上に放出した水を貯水室（１Ａ）内に流入するようにした請求項４又は６記載の自動潅水システム。
【請求項８】
前記溜まる水内に設ける導水管（３）を∩形に形成し、その∩形の導水管（３）の最高点まで水が溜まると、自動的に水を排出するようにした請求項２、５、６のいずれか１項に記載の自動潅水システム。
【請求項９】
前記接続する導水管（３）の代わりに、排出口（１ｄ）に水を吸水し搬送する適当長幅の吸水材（５）を直接設けた請求項１〜７のいずれか１項に記載の自動潅水システム。
【請求項１０】
前記導水管（３）と給水管（４）を一体にして設けた請求項１〜８のいずれか１項に記載の自動潅水システム。
【発明の詳細な説明】
【技術分野】
【０００１】
本発明は、ビルの屋上や壁面に緑化する植物（特に苔植物）に、雨水を無駄無く有効に潅水する自動潅水システムに関する。
【背景技術】
【０００２】
現在地球温暖化が深刻な問題になっており、その問題は地球規模にまで広がってます。世界の温室効果ガスである２００４年のＣＯ2の排出量は２６５億トンまで増えており、それによる地球全体の気温の上昇によって、北極圏の氷河がとても速いスピードで溶け出してるため、その影響で海面の水位が上昇しており、一刻も早く対策を打たなければならない状況です。それで京都議定書で日本のＣＯ2削減目標が、１９９０年から２００８年までにマイナス６％だったのが、実際には２００５年までにプラス７.８％まで上昇しており、今後も上昇の一途と考えられます。そして２００６年度の日本のＣＯ2の排出量は１３億４１００万トンで、やはりプラス６.４％上昇しています。（京都議定書基準の９０年比）このままでは京都議定書で日本に求められている２００８年から２０１２年までの５年間の平均でマイナス６％も達成できない状況です。その背景に我々の生活水準が向上してるため、ＣＯ2の排出量が年々増えており、そのＣＯ2の排出量を削減することは、現在の生活水準を下げない限り不可能と考えられます。そこでこれから排出されるＣＯ2を如何に吸収して削減させていくかが非常に重要になります。そのひとつの方法として、ビルの屋上を緑化することで、ヒートアイランド現象を抑えられて冷暖房の消費電力を削減でき、そして緑化する植物の光合成作用によって、ＣＯ2を吸収して酸素を生成する一挙両得の効果が得られます。
【０００３】
２００７年６月２３日に放映されたＴＢＳの番組で、ビルの屋上を緑化することで、その断熱作用で緑化しない場合は、夏にコンクリートの表面温度が蓄熱作用で５０℃あったのが、緑化することで２０℃近く下げられ、冬は保温作用があるため、年間で電気使用料が１０％削減できた実例を挙げてました。
【０００４】
そこでＣＯ2削減のためビルの屋上を緑化する上で最も重要で鍵になるのは、屋上が無電源で無上水（無水道水）の状態でも、自然の恵みの雨水を如何に無駄無く利用して緑化できるかになります。電源を使ったり上水を使えば、それによってＣＯ2をまた排出することになりますし、ビルの屋上に電源や上水の設備を設けるにはその設備費が新たにかかりますし、実現がかなり難しくなります。
【０００５】
そこで従来、無電源で自動的に水を供給（給水）するようにした装置の公知公報が出願されてますが、そのいずれの公知の装置では、貯水槽に溜まる水量（高さ）に比例して排水口に加わる水圧が大きくなるため、その水量（高さ）に比例した水圧分で流出する水量は大きくなります。そのため公知技術のいずれの構成も、必要以上に給水されてしまい、水を無駄無く有効に潅水できる構成ではありませんでした。またその各構成も上水（水道水）を利用して、貯水槽内に溜める水量を定期的にタイマー等で監視して補給しなければならなく、そして上水（水道水）を利用するためその分のＣＯ2を排出することになります。またビルの屋上で上水（水道水）を利用するにはその配管設備も必要になり、地球温暖化のためにビルの屋上の緑化が容易ではないのが現状でした。
【特許文献１】実開平３−７４２４０号公報
【発明の開示】
【発明が解決しようとする課題】
【０００６】
本発明は、前述の問題に鑑みてなされたもので、建物の屋上や壁面や屋根を緑化するのに、自然の恵みの雨水を貯水し、その貯水した雨水を無駄無く有効に利用することで、無電源で且つ無上水で緑化できる自動潅水システムを提供することである。
【課題を解決するための手段】
【０００７】
本発明は前記課題を解決するために、水中に浮く浮力体の浮力作用と、水が持つ表面張力による毛細管現象作用を組合せることで、及び水の重力によって高い位置から低い位置に流れる流動性の作用と、水が持つ表面張力による毛細管現象作用を組合せることで、雨水を自動的に貯水タンク内に流入させながらその都度貯水タンク内を密封の状態にし、その密封状態で貯水タンク内に溜まった水を貯水タンクの外へ搬送（導水）させるのに、水が持つ表面張力による毛細管現象の作用を利用して水を吸水材内へと吸水させながら、需要に応じた必要分の水を給水（供給）する構成にしたものである。その原理を図２０で説明する。図２０（ａ）において、容器に水を８分目ぐらい溜め、その容器を密閉状態に蓋をし、その蓋に数ｍｍ程度の開口する穴を開け、その容器を図２０（ｂ）に示すように逆さにすると、容器内にある水はその水の表面張力によって、開口する穴から流出することはなく、そのままの状態を維持し続ける。この状態の時、容器内の空気は若干負圧状態になり、その負の圧力と水の表面張力が平衡してその状態を保ち続けることになる。そこで図２０（ｃ）に示すように、その開口の穴に繊維状の高分子吸収体でなる吸水材を挿入すると、水の表面張力による毛細管現象の作用で、容器内の水はその吸水材に吸水されて浸透し容器の外へと流出していく。そしてその水の流出分に相当する空気は、小さな気泡となって容器内の水の中を上昇していきます。そのためこの構成であれば、容器内にある水の量に関係なく、水の表面張力による毛細管現象の作用で水が浸透していき、その浸透する水量分のみ流出させることができます。その流出する水の量は、吸水材の断面積に比例し、吸水材の断面積に応じて適当に流出する水量を調整できます。その吸水材の断面積が小さい場合は、吸水された水が吸水材から下に水滴となって落ちることはなく、その吸水材の表面から蒸発していく水量分のみ容器内の水が減っていくことになります。実際に図２０（ｄ）に示すように、水が２００ｍｌ入る容器に水を８分目まで入れて、吸水材にティッシュペーパーを挿入して試験をしたが、その容器内の水が全部無くなるのに、開口が２.５ｍｍで１日半、２ｍｍで３日、１.５ｍｍで５日を要した。（注；その日の気温や湿度で水の蒸発量が変わる。）ティッシュペーパーを挿入しない容器では、容器内の水は全く減ることがなく、これによりティッシュペーパーが毛細管現象の働きをして、水を搬送できることが確認できる。
【０００８】
また水中に浮く浮力体の浮力作用を利用することで、及び水の重力によって高い位置から低い位置に流れる流動性の作用を利用することで、貯水タンク内を密室になった負圧状態を自動的に造ることができ、本発明は貯水タンクに溜めた雨水を、水に浮く浮力体の浮力作用と、及び水の流動性の作用と、水の表面張力による毛細管現象の作用を組合せることで、雨水を自動的に適量分給水する構成にしたものである。
【発明の効果】
【０００９】
本発明の自動潅水システムは、自然の恵みの雨水を貯水して、その貯水した雨水を無駄無く有効に利用でき、建物の屋上や壁面や屋根で電源や上水（水道水）の設備が無くても、常時貯水した雨水から適量の水を供給して植物を生育できるため、ヒートアイランド現象の低減や、光合成によるＣＯ2削減を半永久的に行え、地球温暖化防止にも大いに貢献できる。
【実施例】
【００１０】
本発明を図面を基に詳細に説明する。
図１、図２は、本発明の実施例の構成を示したものである。図（ｂ）は雨水を溜めて貯水する貯水タンク１の全体の斜視図を示し、図（ａ）はその貯水タンク１の側方から見た縦断面図、図（ｃ）はその正面から見た縦断面図を示す。
【００１１】
貯水タンク１をポリプロピレンや塩化ビニルやＡＢＳ樹脂等のプラスチック材で直方体状に形成し、その上部開口に図の様に斜めに傾けた雨受け部１ａを設ける。そして貯水タンク１内を仕切り部１ｈで上槽と下槽とに仕切り、上槽には雨水を溜める貯水室１Ａを形成し、下槽には貯水室１Ａから雨水を流入する分室１Ｂを形成し、両槽を仕切る仕切り部１ｈに円形状の孔でなる開口部１ｂを設け、貯水室１Ａ内に溜まった雨水をその開口部１ｂから分室１Ｂ内へと流入させる。その開口部１ｂの下には格子状で自由に水が出入りする囲い部１ｃを設け、その囲い部１ｃ内に中空の球体でなる浮力体２を設ける。そして分室１Ｂの側面の下側には分室１Ｂ内に溜まった水を排出する排出口１ｄを設ける。その排出口１ｄに水を搬送する導水管３を挿入し、排出口１ｄの開口から水が漏れないようにしっかり固定する。その導水管３の端部を図１５に示す給水管４の端部に形成した給水口４ｄに嵌合して接続し、その給水管４に横長に形成した隙間部４ｂに、後述する吸水材５を隙間無く嵌合して設けた構成になっている。
【００１２】
この構成で実施する状態を各図に基づいて詳述する。図３は本発明の自動潅水システムの１実施例の断面図を示したもので、図１７（ａ）はその構成の斜視図であり、図１８（ｂ）はその構成をビルの屋上に実施した状態を示す。
【００１３】
図１８（ｂ）に示すように、本発明の構成をビルの屋上に設置して実施すると、図３（ａ）に示すように、雨水は適当な幅と長さに形成した吸水材５上や、貯水タンク１に設けた雨受け部１ａ上に均一に降り、雨水が溜まっていく。その雨水はやや斜めに傾けた雨受け部１ａの面から貯水タンク１内へと流れ、その貯水タンク１内で貯水室１Ａに流れた雨水は仕切り部１ｈに設けた開口部１ｂを通り、分室１Ｂ内へと流れていく。そしてその分室１Ｂ内の水嵩が高くなると、その水の自重により分室１Ｂ内に挿入した導水管３内へと流れ、その水は導水管３を通って給水管４内へと流入していく。次にその水は給水管４内に形成した中空部４ａ内に充満していき、やがて満水状態になる。そこで給水管４の中空部４ａと吸水材５の端部とは隙間無く密接しており、中空部４ａ内は密室状態になってるため、中空部４ａ内に充満した水は、パスカルの原理で中空部４ａ内に加わる水圧はどの部位でも同じになる。そして中空部４ａ内に充満した水は、水の表面張力による毛細管現象の作用で、吸水材５の端部から徐々に吸水していき、やがて吸水材５全体に浸透していく。また同時に空から降る雨も吸水材５に吸水されるため、その雨水は吸水材５の面上から徐々に全体に吸水されていき、やがて全体が雨水で満水状態になる。そうなると中空部４ａ内にある水は吸水材５の端部から吸水されなくなり、その吸水されない水は分室１Ｂ内でどんどん溜まっていく。そしてその水は図の様に途中浮力体２を浮かせながら上昇していき、その水がある程度溜まった時点で、浮力体２の上部がその浮動によって開口部１ｂを閉栓状態に蓋をするため、分室１Ｂ内には空気の空隙ができた状態で、貯水室１Ａ内の水が開口部１ｂから分室１Ｂ内へと流入するのを妨げ、それ以上の雨水は貯水タンク１内でどんどん溜まっていく。そして雨が降り続く限り、その雨水は貯水室１Ａ内が満杯になるまで溜まっていく。
【００１４】
本発明の原理を説明すると、図３（ｃ）において、浮力体２の浮力をＦ、浮力体２の重量分の重力をｇ3、貯水タンク１の設置面から分室１Ｂ内に溜まる水の高さをｈ1、貯水室１Ａ内に溜まる水の高さをｈ2、導水管３の導水断面積をｓ、開口部１ｂの開口面積をＳとすると、分室１Ｂ内から導水管３内に加わる水が流出しょうとする圧力ｇ1は、
ｇ1＝ｓ×ｈ1であり、
貯水室１Ａ内から開口部１ｂに加わる水が分室１Ｂ内に流入しょうとする圧力ｇ2は、ｇ2＝Ｓ×ｈ2となり、
本発明の構成は、Ｆ＞ｇ1+ｇ2+ｇ3となる浮力体２で構成しており、浮力体２に生じる浮力Ｆは、その浮力体２が水中に沈む同体積分の水量に相当する重量分の浮力Ｆが上向きに作用するため、浮力体２の上部と開口部１ｂとの接する開口面は密接状態となり、貯水室１Ａ内の水は分室１Ｂ内へと流入できない。そして分室１Ｂ内の水も導水管３から流出せず、そのままの状態を保つ。その貯水室１Ａ内の水が満杯になった時に、Ｆ＝ｇ1+ｇ2+ｇ3となるように浮力体２の浮力Ｆを構成すれば、貯水室１Ａ内の水は満杯以下であれば、その貯水室１Ａ内の水が分室１Ｂ内へと流入することはない。
【００１５】
ここで十分な浮力がない浮力体で構成した場合を考えると、貯水室１Ａ内の水が如何なる高さでもＦ＜ｇ1+ｇ2+ｇ3となり、貯水室１Ａ内の水は分室１Ｂ内へと流入するため、その貯水室１Ａ内の水がどんどん流入してくることになり、その状態は浮力体の上部と開口部１ｂとの開口面が常に近接状態で接してない状態であり、その浮力体には、開口部１ｂから浮力体を押下げる圧力ｇ2と排出口１ｄから浮力体を引き下げる圧力ｇ1が、常時下方向に働くため浮力体が上下に動き、貯水室１Ａ内の水もその状態では常時分室１Ｂ内へと流入していくことになる。そしてその状態では、導水管３内にも貯水室１Ａ内の水の圧力ｇ2と分室１Ｂ内の水の圧力ｇ1との両圧力が同時に加わって、導水管３内にその両圧力が作用するため、貯水室１Ａ内の水は分室１Ｂ内に常時流出し、その状態では貯水室１Ａ内の水量（高さ）が多いほど、導水管３内に加わる圧力（水圧）も大きくなり、その導水管３内から流出する水の量も貯水室１Ａ内の水量（高さ）に比例して多くなってしまう。また仮にその状態で導水管３に流量を調節するバルブを設けて流量を絞ったとしても、その導水管３内には常に貯水室１Ａ内の水の圧力ｇ2と、分室１Ｂ内の水の圧力ｇ1の両圧力が加わるため、その両圧力で導水管３内から水が流出し続け、必要以上の余分な水が流出してしまうことになる。
【００１６】
本発明の構成において、図３（ｃ）の状態で、雨が降って貯水室１Ａ内に水が溜まり、前記のＦ＞ｇ1+ｇ2+ｇ3の状態で、貯水室１Ａ内の水が開口部１ｂから分室１Ｂ内に流入できない状態で、雨があがって吸水材５に吸水されてた水が蒸発（気化）し始めると、吸水材５内に吸水されてた水が次第に蒸発（気化）していきながら、同時に吸水材５内にある水と給水管４内にある水とが表面張力による毛細管現象で、給水管４内にある水が吸水材５内へと吸水されて浸透し続け搬送していく。その毛細管現象による吸水の作用で、吸水材５に接続した給水管４内へと導水管３内の水が移動し、同時に分室１Ｂ内の水が導水管３内へと流入していく。その時の分室１Ｂ内の状態は前記の図２０（ｃ）（ｄ）の状態になり、その状態で密閉した容器内の空気が負圧状態になったように、分室１Ｂ内も同様に負圧状態になるため、その負圧になる圧力によって、貯水室１Ａ内の水が密接状態の開口部１ｂからその負圧分に相当する水量の水が流入して浸水してくる。そのため貯水室１Ａ内から分室１Ｂ内へと水が流出する水量は、吸水材５の水が蒸発（気化）する分に相当し、その蒸発（気化）分を常に補給できることになる。そのため必要以上の余分な水が貯水室１Ａ内から吸水材５へと給水されることがない。
【００１７】
ここで貯水室１Ａ及び分室１Ｂの雨水を溜めて収容する容積は、吸水材５の設置面積や設置地域の降水量に応じて適当に設定してよく、十分に大きな収容容積で設計すれば、自然の恵みの雨水のみで十分な水を供給することができます。また降水量は降雨面積に比例するため、図２（ａ）（ｂ）に示すように、雨受け部１ａをスライド式に拡げるようにして構成することもできる。また本発明の構成で導水管３及び給水管４を一体にして構成してもよい。
【００１８】
図４は、本発明の他の実施例の構成を示したものである。図４（ａ）は、浮力体２を２個連結して設けて構成したものである。この構成であれば、開口部１ｂには下方の浮力体２の浮力による押す圧力と、上方の浮力体２の浮力による引く圧力によって、よりいっそう密接状態にして開口部１ｂを塞ぐことができる。また図４（ａ）では分室１Ｂの側面に横に長い幅を持った排出口１ｄを設け、その排出口１ｄに直接吸水材５を挿入して設けており、図１８（ｃ）にその構成で設置した状態を示しており、導水管３や給水管４を設けなくても、吸水材５に分室１Ｂ内から直接吸水して給水するように構成することもできる。図４（ｂ）はてこの原理を使って、小さな浮力体２でも十分な密接状態にして開口部１ｂを塞ぐように構成したものである。仕切り部１ｈに支軸部２ｂを設け、その支軸部２ｂに「く」の字状に形成したてこ腕２ａを枢支し、そのてこ腕２ａの先端に浮力体２を設け、てこ腕２ａの頂点に球状の閉栓部２ｃを設けたものである。この構成であれば、小さな浮力体２でもてこの原理で大きな圧力が作用し、開口部１ｂを閉栓部２ｃで塞いでしっかり密接状態にできる。尚、本構成では開口部１ｂの周縁を貯水室１Ａ内側に突状に形成しており、例えば不要物が貯水室１Ａ内に入っても、その不要物が開口部１ｂ内に入りにくい構造になっている。また開口部１ｂには適当に水を浸透して通すフィルタ１ｆを設けており、そのフィルタ１ｆによって分室１Ｂ内への水の流出量を緩やかにできる。また本構成では、排出口１ｄにバルブ１ｅを設けており、そのバルブ１ｅの開閉調節によって、分室１Ｂ内に加わる負圧状態と、導水管３内に流れる水の流量を微妙に調節できる。
【００１９】
図５は、本発明の構成で、水を間欠的に供給できるように構成したものである。貯水タンク１を上から上槽に貯水室１Ａ、中槽に分室１Ｂ、下槽に一時貯水室１Ｃを形成し、各槽に上方と下方に仕切る仕切り部１ｈを設け、分室１Ｂと一時貯水室１Ｃを仕切る仕切り部１ｈに、両室に連通する開口部１ｂを設け、その開口部１ｂに嵌合する適当な断面積の吸水材５をその片側を分室１Ｂ内に出し、反対の片側を一時貯水室１Ｃ内に挿入して設け、その一時貯水室１Ｃ内には図の様に∩形に曲げた導水管３を設けて構成したものである。この構成で徐々に雨水が分室１Ｂ内と貯水室１Ａ内に溜まっていき、浮力体２によって分室１Ｂが密閉（密封）状態に保たれた状態の時、開口部１ｂに設けた吸水材５は、水が持つ表面張力による毛細管現象と下方に働く重力によって、吸水される水が吸水材５に浸透しながら下方に搬送され、分室１Ｂ内から一時貯水室１Ｃ内へと水が徐々に流入していく。その時分室１Ｂ内はその流入する水の分で負圧状態になるため、その負圧分は貯水室１Ａ内から分室１Ｂ内へと水が逐次流入してくる。そして一時貯水室１Ｃ内に溜まる水が、∩形に曲げた導水管３の最高点よりも下方のｄ1の高さの時には、水は導水管３内に流れることはないが、水が∩形に曲げた導水管３の最高点よりも上方のｄ2の高さになった時には、一時貯水室１Ｃ内の水は導水管３内に流入して流れ出し、その水は高さが∩形に曲げた導水管３の入り口の高さになるまで流れ続ける。従ってこの構成によって、吸水材５から徐々に浸透してきた水を一時貯水室１Ｃ内に所定の量に達するまで溜めておき、その所定量になった水をその都度間欠的に給水することができる。ここで吸水材５から浸透する水の量は、その吸水材５の断面積に比例するため、その断面積を適当に設定することで、間欠的に必要量の水を適当に給水できる。この実施例の構成で、まっすぐに伸ばした導水管３を排出口１ｄに挿入して設け、一時貯水室１Ｃ内に溜まる水をその導水管３を通して常時連続的に排出するように構成しても勿論よい。また分室１Ｂと一時貯水室１Ｃを仕切る仕切り部１ｈに設けた開口部１ｂに、後述する図８（ａ）に示すように開口部１ｂを構成して、その開口部１ｂに前記の吸水材５を特に設けなくても、その開口部１ｂから水が適当に流入してくるように構成してもよい。
【００２０】
尚、間欠的に水を供給する構成としては、容器に水が溜まることで重心の位置が移動し、その容器が傾いて放水するようにした後述する図１１に示す鹿おどしの原理の構成にしてもよい。一時貯水室１Ｃ内に間欠的に所定の量溜めた水は∩形に曲げた導水管３で排出し、その導水管３に前記実施例と同様に給水管４を接続し、その給水管４から適当長幅の吸水材５に水を供給するようにできる。また図４（ａ）に示すように、一時貯水室１Ｃに間欠的に所定量溜めた水を直接吸水する吸水材５を横長に形成した排出口１ｄに設け、一時貯水室１Ｃ内から直接吸水して排出するように構成してもよい。また同様に本発明の構成を貯水室１Ａ及び分室１Ｂに水を直接吸水する適当長幅の吸水材５を排出口１ｄに設けて実施してもよい。本実施例の構成では、貯水室１Ａ内に発泡スチロール等でなる平板状の浮きシート１ｉを設けており、貯水室１Ａ内に雨水が溜まると浮きシート１ｉが水面上に浮き、その浮きシート１ｉによって、貯水室１Ａ内に溜まった水表面と空気とが触れる面積が小さくなり、空気中に蒸発する水の量を極力少なくすることができる。
【００２１】
図６、図７は、前記の各実施例の構成で、分室１Ｂ内の容積を小さくし、そして上下に浮動する浮力体２の動きの幅を小さくした構成である。図（ａ）のように分室１Ｂ内の容積を小さくすることで、分室１Ｂ内に溜まる水量が少なくなるため、分室１Ｂ内の水が吸水材５へと必要以上に給水されることを極力抑えることができ、また分室１Ｂ内から給水する水量を微妙に調整できる。分室１Ｂ内の容積も図６（ｂ）に示すように、分室１Ｂの容積の幅Ｌを適当に設定することで調整できる。図６（ｃ）に示す構成は、分室１Ｂ内に貯まった水がある所定の量に達した時に、水が流出するように構成したものである。前実施例と同様に分室１Ｂ内に溜まった水が、∩形に曲げた導水管３の最高点よりも下方のｄ1の高さの時には、水は導水管３内に流れることはないが、水が∩形に曲げた導水管３の最高点よりも上方のｄ2の高さになった時には、分室１Ｂ内の水は導水管３内に流入して流れ出し、その水は水の高さが∩形に曲げた導水管３の入り口の高さになるまで流れ続ける。
【００２２】
図７は、分室１Ｂ内に挿入する導水管３の高さを適当な高さに設定した構成を示す。前実施例で示したように、導水管３の導水断面積をｓ、分室１Ｂ内に貯まる水の高さｈ1の時、分室１Ｂ内から導水管３内に加わる水が流出しょうとする圧力ｇ1は、ｇ1＝ｓ×ｈ1となり、そのｇ1は導水管３を挿入する排出口１ｄの高さｈを高くしても調整できる。その排出口１ｄの高さｈによって、浮力体２との位置関係が係るため、その構成でも分室１Ｂ内から流出する水量を微妙に調整できる。
【００２３】
図８、図９、図１０は、本発明の浮力体の浮力作用を応用したもうひとつの実施例の構成を示したものである。図８及び図９、図１０の構成において、貯水室１Ａの上部内で雨受け部１ａの下方に、図の様に中央に低く凹状に窪んだ空間部１ｌを形成した貯水部１ｊを設け、その貯水部１ｊの中央の凹状に窪んだ空間部１ｌの下方に開口した流入部１ｍを形成し、その凹状に窪んだ空間部１ｌ内に雨水で水没した際に適当な浮力で浮く浮力蓋体２Ａを設けて構成したものである。その浮力蓋体２Ａの作用と働きについて、図８（ｃ）（ｄ）で詳述する。雨受け部１ａ上に降った雨水は貯水タンク１の中にどんどん入りながら貯水部１ｊ上に注がれる。そして雨水が貯水部１ｊ上に溜まり集積される。するとその雨水は貯水部１ｊの中央が低く窪んだ空間部１ｌ内へとどんどん溜まっていく。そしてその雨水で浮力蓋体２Ａが水没すると、その浮力蓋体２Ａの浮力の働きで若干浮き、その際に浮力蓋体２Ａと開口した流入部１ｍとの間に隙間ができるため、図８（ｄ）に示すように雨水はその隙間から下方の貯水室１Ａ内へとどんどん流入していき、雨水が窪んだ空間部１ｌ内に流入していき溜まる間は、浮力蓋体２Ａの浮力の作用が働き、雨水が開口した流入部１ｍから下方の貯水室１Ａ内へとどんどん流入していくことになる。この浮力蓋体２Ａの浮力は、浮力蓋体２Ａの比重が水の比重より小さければ浮力作用が働くため、そして水の比重が１立方ｃｍあたり約１ｇであるから、例えば浮力蓋体２Ａを２００立方ｃｍで重量１９９ｇで構成すれば、浮力蓋体２Ａが水没した際、理論上浮力が若干働いて浮力蓋体２Ａと開口した流入部１ｍとの間に若干隙間ができて、水が下方に流入することになる。比重が水より小さい浮力蓋体２Ａとしては、例えばゴム材でなる浮力蓋体２Ａで実施することができる。
【００２４】
次に、雨が止んで雨が雨受け部１ａ上に降らなくなると、雨水は貯水部１ｊの窪みの空間部１ｌに流入しなくなり、そして浮力蓋体２Ａの自重によって開口した流入部１ｍが塞がれ、窪みの空間部１ｌに溜まった雨水は流入部１ｍから下方の貯水室１Ａ内へと流入しなくなる。そして窪んだ空間部１ｌ内に溜まった雨水が蒸発して無くなると、浮力蓋体２Ａの自重によって流入部１ｍが塞がれて、貯水室１Ａ内は完全に密封状態になり、図２０（ｃ）（ｄ）と同じ状態で、貯水室１Ａ内に溜まった水は貯水室１Ａ内から蒸発することなく、総て導水管３内に流入していきながら搬送し、吸水材５の表面から蒸発していくことになる。
【００２５】
本実施例の構成で図８（ａ）は、貯水室１Ａの底面の仕切り部１ｈに、分室１Ｂ内へと水が流入する適当な大きさの開口部１ｂを形成し、その開口部１ｂに図のような導水材１ｋを挿入して設けたものである。その構成によって貯水室１Ａ内の水は、その導水材１ｋの表面を表面張力の作用で伝わりながら分室１Ｂ内に注がれていき、分室１Ｂ内に注がれた水が溜まると導水管３内に流入して搬送される。その際、分室１Ｂ内の空気はその流出する水量分開口部１ｂから貯水室１Ａ内へと抜けていく。この構成により、導水材１ｋの表面を表面張力の作用で伝わっていく水量のみ、分室１Ｂ内へと水を流出させることができ、貯水室１Ａ内に溜まった水量によって、その流出する水量は影響されない。尚、特に導水材１ｋを開口部１ｂに設けなくても、開口部１ｂの形状を例えば一部分を下方に長く延ばして構成するなどで、貯水室１Ａ内の水が分室１Ｂ内へと適当に流入するように構成してもよい。
【００２６】
尚、この構成で分室１Ｂ内に外から僅かな空気が流入するよう、分室１Ｂの上方にピンホールの孔を開けて構成してもよい。また導水材１ｋは、吸水しない素材で構成してもよいが、吸水する素材で吸水しながら水が搬送する構成にしてもよい。
【００２７】
図８（ｂ）は、貯水室１Ａの底面に形成した開口部１ｂに直接導水管３を挿入して設けて構成したものである。図１７に示すように給水管４に接続した吸水材５の表面張力の作用で、吸水する水量の分が貯水室１Ａ内から直接導水管３内へと流れ、必要量の水量が給水管４内へと搬送される。この構成でも貯水室１Ａ内に外から僅かな空気が流入するよう、貯水室１Ａの上方にピンホールの孔を設けて構成してもよい。
【００２８】
図９は、開口部１ｂに吸水材５を隙間無く設けて構成したものである。図９（ａ）において、貯水室１Ａ内にある水は開口部１ｂに設けた吸水材５の表面張力の作用で、その吸水した水量分が貯水室１Ａ内から分室１Ｂ内へと注がれる。この注がれる水量は吸水材５の断面積に比例して増減する。この構成でも分室１Ｂ内に外から僅かな空気が流入するよう、分室１Ｂの上方にピンホールの孔を設けて構成してもよい。図９（ｂ）は、図９（ａ）の構成で更に分室１Ｂ内に浮力体２を設けて構成したものである。分室１Ｂ内にある程度水が溜まると、浮力体２の浮力によって開口部１ｂを塞いで水が流入してくるのを防ぐため、水の給水量を微妙に調整できる。図９（ｃ）は、図９（ａ）の構成で分室１Ｂ内に図の様に∩形に曲げた導水管３を設けて構成したものである。この構成であれば、前実施例と同様に分室１Ｂ内に溜まる水が、∩形に曲げた導水管３の最高点よりも下方のｄ1の高さの時には、その水は導水管３内に流れることはないが、その水が∩形に曲げた導水管３の最高点よりも上方のｄ2の高さになった時には、分室１Ｂ内の水は導水管３内に流入して流れ出し、その水は水の高さが∩形に曲げた導水管３の入り口の高さになるまで流れ続ける。
【００２９】
図１０は、図８の構成において、貯水タンク１内に分室１Ｂを設けず、貯水室１Ａのみで構成したものである。この図１０の構成のように非常に簡単な構成で本発明を実施することができる。そして図８から図１０に示す構成で、貯水室１Ａ内の密封された密室内にある空気には、貯水タンク１内に溜まった雨水の重量により負の圧力が加わるため、流入部１ｍの開口を塞ぐ浮力蓋体２Ａには、掃除機で吸引したのと同じような吸引作用による負圧力が加わり、その吸引する圧力は貯水室１Ａ内に溜まった水量が多いほど、その水量の重量分が密室内の空気に加わるため、その負圧分浮力蓋体２Ａに加わる吸引力が大きくなり、従って水量が多いほど貯水タンク１内の密封状態は強くなる。そのため貯水室１Ａ内に溜まった雨水が、排出口１ｄから自然に流出してしまうことが無い。従来の潅水システムの構成では、貯水タンク内に溜まる水量が多ければ多いほど、貯水タンクの排出口に加わる水圧が大きくなるため、その排出口から流出する水量は比例して多くなってしまう。また本発明の構成では、貯水室１Ａ内の水が気化してその水蒸気が浮力蓋体２Ａと流入部１ｍの接する面に付着するため、その水分の湿りで密封状態は非常に強くなる。また浮力蓋体２Ａ又は流入部１ｍの接する面に光触媒の酸化チタン膜を成膜しておいてもよく、その部分に紫外光が当たることで自浄してその面上に水の膜ができるため、密着度が増す構成になる。また浮力蓋体２Ａの重心を中心からずらして偏心した構成にすることもでき、その浮力蓋体２Ａの構成であれば、その重心に近い側面を滑らかな面に仕上げておけば、その側面は必ず下側を向くため、その面を必ず流入部１ｍの面と接するように構成することができる。
【００３０】
各実施例の構成で、貯水室１Ａ及び分室１Ｂに外から僅かな空気が流入するよう、ピンホールの孔を設けて構成してもよく、また前記した各実施例の構成及び後述する図１１〜図１３の各実施例の構成で、図１５（ｅ）に示すように図１５（ｄ）に示す導水管３内に吸水材を充填しておき、その吸水材の吸水作用によって水を導水（搬送）するように構成してもよい。また図１５（ｆ）に示すように、導水管３内に適当な太さで紐状の吸水材５ｃを通しておき、その導水管３内に適当な隙間を空けておき、その紐状の吸水材５ｃの吸水作用で導水していくのと、適当な隙間を空けた空間部分を流れる水流によって、導水管３内を水が導水（搬送）するように構成してもよい。また導水管３内に適当な太さで紐状の導水材１ｋを通しておき、その導水材１ｋの表面を水の表面張力の作用で、水が導水管３内の適当な隙間を伝わっていくようにしてもよい。これにより導水管３内で水が滞ってしまうことがない。また導水管３内を通す紐状の吸水材５ｃや紐状の導水材１ｋや充填する吸水材５を、給水管４内にまで通して実施してもよく、さらに給水管４内から水を吸水するシート状の吸水材５に接続又は一体化して設けてもよい。導水管３内を流れる水量は、導水管３内の内径や紐状の吸水材５ｃや紐状の導水材１ｋの太さによって適当に設定できる。
【００３１】
図１１〜図１４は、本発明の水が重力によって高い位置から低い位置に流れる流動性の作用を利用した実施例の構成を示したものである。図１１〜図１４の各構成において、貯水タンク１の上部で雨受け部１ａの下方に、図の様に中央を低く形成した貯水部１ｊを設け、その貯水部１ｊの中央部に開口する流入部１ｍを形成し、その流入部１ｍから雨水が都度流入する偏心容器１１を図のように回動自在に軸支して設け、その偏心容器１１内に水が満杯状態に溜まると、その偏心容器１１全体の重心が（図の右方向へ）移動するため、支軸１１ａを中心に回転し、そして偏心容器１１内に溜まった水を仕切り部１ｈ上に放水するようにした構成である。
【００３２】
この構成の本発明の原理をさらに図１１の図（ｂ）〜図（ｆ）で詳述すると、偏心容器１１は仕切り部１ｈ上に設けた支持部１１ｂ上に支軸１１ａで回動自在に軸支してあり、その支軸１１ａを中心に回動自在になっている。偏心容器１１内は筒状に形成してあり、流入部１ｍから流入した雨水は図のようにその偏心容器１１内に流入する構成になっている。偏心容器１１の後端部は重量部１１ｃを設けており、図（ｂ）の偏心容器１１内に水が流入してない状態では、偏心容器１１全体の重心が支軸１１ａから後端側（図で支軸１１ａから左側）に位置し、その状態では偏心容器１１の後端部は仕切り部１ｈに形成した流入部１ｍを密封状態に塞いだ状態になっている。そしてこの塞いだ状態では前記の図８〜図１０の構成と同様に、貯水室１Ａ内は負圧になった密封状態に保たれるため、その状態では貯水室１Ａ内の水が排出口１ｄから自然に流出することはない。
【００３３】
次に図（ｃ）に示すように、偏心容器１１内に雨水が流入してその容器内の水量が増すと、偏心容器１１全体の重心の位置が支軸１１ａへと（図の左から右方向に）に移動していき、図（ｄ）に示すように偏心容器１１内の水が一定量の満杯状態になると、偏心容器１１全体の重心の位置は、図の支軸１１ａの右方向に移動するため、その重心位置の移動により偏心容器１１は矢印の方向に回転し、図（ｅ）の状態になり偏心容器１１内の水が一気に仕切り部１ｈ上に流れ出す。その流れ出した水はその流動性で重力によって高い位置から低い位置に移動するため、その水が最も低い位置に開口する流入部１ｍから貯水室１Ａ内へと流れ込む。そして図（ｆ）に示すように偏心容器１１内の水が空になると、再び偏心容器１１の後端側の方が重くなり、重心が図の支軸１１ａより左方向に移動するため、図の矢印方向に回転して再び図（ｂ）の状態に戻り、流入部１ｍが塞がれて貯水室１Ａ内は密封状態に保たれる。この図（ｂ）から図（ｆ）の繰り返しは雨が降ってる間中、偏心容器１１内に雨水が流入して自動的に繰り返され、次に雨が止むと図（ｂ）の状態になって貯水室１Ａ内は密封されて密封状態が保たれることになる。そして前実施例の構成と同様に、貯水室１Ａ内は密封されて負圧状態になるため、貯水室１Ａ内の水は排出口１ｄから導水管３を通り、図１７に示す吸水材５で吸水されながら導水されることで、自動的に貯水室１Ａ内の水を給水（供給）できる。
【００３４】
図１２は、偏心容器１１とは別体の球体の蓋体１２によって、開口する流入部１ｍを密封状態に塞いで密封する構成にしたものである。図（ｄ）に示すように、偏心容器１１の後端部に蓋体１２を動かす環状の作動部１１ｄを設け、そして蓋体１２はその蓋体１２よりいくらか内径が小さい作動部１１ｄ内に載置させており、図（ｂ）に示すように、偏心容器１１全体の重心位置が支軸１１ａより後端側にある場合は、その後端部は仕切り部１ｈ上に着いており、同時に作動部１１ｄと偏心容器１１との間は、くの字に曲がり、図（ｂ）のように屈曲して蓋体１２は作動部１１ｄ上から外れて完全に自由な状態になり、その蓋体１２の自重で流入部１ｍを密封状態に塞ぐことができる。この構成であれば偏心容器１１の後端部の位置精度が若干ラフになってても、作動部１１ｄ上に載置した蓋体１２が完全に自由な状態になるため、その自重で流入部１ｍを完全に密封状態に塞ぐことができる。前実施例で示した構成では、浮力蓋体２Ａは水より比重が小さくて水に浮く条件であったが、本実施例の構成では蓋体１２が水より比重が大きくて水に浮かない条件でも実施できるため、雨が止んだ後の貯水室１Ａ内の密封状態は同じ体積であれば、比重の大きい蓋体１２でさらに大きくなる。図（ｃ）は偏心容器１１内に溜まった雨水が満杯状態になって、偏心容器１１が図のように傾いた状態で、蓋体１２は作動部１１ｄによって上に持ち上げられ、同時に偏心容器１１内の水が流動して、その水は低い位置に開口する流入部１ｍから貯水室１Ａ内へと流れ込んでいく。この図（ｂ）（ｃ）の状態が雨が降ってる間中自動的に繰り返し行われ、貯水室１Ａ内には本発明の構成で流れ込む雨水が溜まっていくことになる。そして雨が止むと蓋体１２によって貯水室１Ａ内は密封状態に保たれる。図１４（ａ）（ｂ）は、他の実施例の構成を示したものである。図（ａ）に示すように偏心容器１１の後端部に支軸１１ａを中心に回動自在なアーム（腕）状の作動部１１ｄを設けたもので、偏心容器１１の後端部が仕切り部１ｈ上に着いてる状態では、その作動部１１ｄは蓋体１２に接してなく作動せず、貯水室１Ａ内は蓋体１２によって密封状態に塞がれている。次に偏心容器１１内の水が満杯になって図（ｂ）のように傾くと、前記の作動部１１ｄはその自重で矢印方向に回転し、ストッパー１１ｅで止められると共に蓋体１２の側面を押し上げる。そのためその蓋体１２は流入部１ｍを塞いだ位置から離れ、流入部１ｍに図のように開口ができて偏心容器１１内の水が貯水室１Ａ内へと流れ込むようになっている。そして図（ａ）と図（ｂ）の状態を繰り返すことで、貯水室１Ａ内に雨水がどんどん流入される。ここで蓋体１２の形状は球体に限らず錐体や他の形状でもよいし、また作動部１１ｄの形状も環状やアーム（腕）状の形状や他の形状で実施してもよい。
【００３５】
図１３は、貯水タンク１内を仕切り部１ｈで仕切り、その仕切り部１ｈに形成した流入部１ｍの開口に搬送管１３を設け、その搬送管１３を通して雨水を貯水室１Ａ内に移動するように構成したものである。図のように雨受け部１ａから貯水部１ｊ上に流れ込んだ雨水は、その中央部が低くなってる貯水部１ｊに形成した流入部１ｍへと流れ込み、その流れ込んだ雨水は下方に位置する偏心容器１１内へと注ぎ込まれる。図（ｂ）（ｃ）に示すように、搬送管１３内にはばね１３ｂの復元力で上方に動く作動棒１３ａと、その作動棒１３ａの先端部に封止弁１３ｃが封止口１３ｄを封止するように設けている。そして図（ｂ）の状態では、偏心容器１１の後端部にその自重で押される作動棒１３ａによって、その先端に設けた封止弁１３ｃが封止口１３ｄを密封状態に封じるため、この状態で仕切り部１ｈ上に注がれた雨水は、貯水室１Ａ内に流入することはない。次に偏心容器１１内に注ぎ込まれた雨水で、偏心容器１１全体の重心位置が移動し、図（ｃ）のように偏心容器１１が回転して傾くと、その偏心容器１１内の水が一気に仕切り部１ｈ上に流れ出し、同時に偏心容器１１の後端部に押さえられてた作動棒１３ａが、自由な状態になってばね１３ｂの復元力で上方へと動く。その時図のように搬送管１３内には上から下へ通じる隙間ができるため、その隙間から仕切り部１ｈ上に流れた雨水が貯水室１Ａ内へとどんどん流入していく。そして前実施例と同様に図（ｂ）と図（ｃ）の状態を繰り返すことによって、貯水タンク１上に降った雨水を貯水室１Ａ内へとどんどん流入できる。次に雨が完全に止むと図（ｂ）の状態になって、貯水室１Ａ内は封止弁１３ｃによって密封状態に保たれ、貯水室１Ａ内は負圧状態になる。図１４（ｃ）（ｄ）は、図１３（ｂ）（ｃ）と同様の原理で実施する構成であり、搬送管１３を図のように折り返し曲げた構成にしたもので、万が一搬送管１３内に小さな異物が入ったとしても、封止弁１３ｃの下側に溜まるため、貯水室１Ａ内へと入りにくくなる。またこの搬送管１３を取り外し可能にして、中の異物を取り除くようにもできる。図１３（ｂ）と図１４（ｃ）の状態では、前述のように貯水室１Ａ内は負圧状態になるため、封止弁１３ｃは貯水室１Ａ内に溜まった水の重量で吸引された状態になり、密封状態が保たれる。
【００３６】
尚、図１１〜図１４で示した構成にあっては、前記の図８、図９で示した各構成と同様に、貯水室１Ａの下側に同じ構成の分室１Ｂを設け、貯水室１Ａ内に溜まった雨水を一旦分室１Ｂ内に溜めて、その水を徐々に流出させたり、間欠的に流出するように構成してもよい。
【００３７】
図１５（ａ）〜（ｃ）、図１６は、本発明を構成する給水管４の拡大した図を示したものである。図１５（ａ）〜（ｃ）において、給水管４を図のように適当長の筒状に形成し、その給水管４に適当な空間にした中空部４ａを形成し、その中空部４ａの空間とつながる適当な幅の隙間にした隙間部４ｂを形成し、その中空部４ａ内に水を注入する給水口４ｄを端部に設けて構成したものである。この構成で図１７（ｂ）に示すように、隙間部４ｂに吸水材５を嵌入して挟んだ状態にして、留め具４ｅでしっかり固定する。その状態で給水口４ｄに導水管３を嵌合し導水管３から水を供給すると、その供給された水は次第に中空部４ａ内に広がっていき、そしてその水は接する吸水材５へと水の表面張力による毛細管現象で適当量常時吸水されていく。それでパスカルの原理によって、密閉された中空部４ａ内に加わる圧力（水圧）はどこでも一定で同じであるため、水が接する吸水材５内へとどの位置でも水が均一に浸透して吸水されていき、吸水材５全体が均一になるまで浸透していく。給水管４に適当な幅ｔの隙間部４ｂを形成することで、その幅ｔの部分は水が蒸発することなく水が浸透するのみで密な状態になっており、この隙間部４ｂの幅ｔによって中空部４ａ内に水が満たしていくようにでき、必要な給水量を微妙に調整することができる。ここで給水管４の長さは吸水材５の大きさに応じて適当長に形成して実施してよく、また実施例では直状のみを示したが、Ｌ字状に曲げて構成してもよく、コの字状やロの字状に四角に囲んで構成してもよい。またジョイント式に接続できるように構成してもよい。
【００３８】
図１６は、給水管４の他の実施例の構成を示したものである。給水管４を図のように中空で適当長の筒状に形成し、その給水管４の側面に適当数の開口４ｃ、４ｃ・・・４ｃを形成し、給水管４内に適当な中空の中空部４ａを形成して構成したものである。この構成で給水管４に形成した各開口４ｃを下側に向け、吸水材５の面上に当接させた状態にして、給水口４ｄに導水管３を嵌合させ、導水管３から水を供給すると、その供給されてくる水は中空部４ａ内で次第に広がっていき、同様にパスカルの原理で密閉状態の中空部４ａ内に加わる圧力（水圧）はどこでも一定で同じであり、その中空部４ａ内にある水は各開口４ｃから当接する吸水材５の面へと均一に浸透していくため、この構成でも同様に実施可能である。図１６（ｃ）は本構成の他の実施例の構成を示したものであり、給水管４をくし状に連結形成して広域に水を給水できるようにした構成であり、吸水材５の面積に応じて適当数連結して構成できるようにしてもよい。尚、各開口４ｃの穴の大きさは、給水する水の量に応じて適当に設定してよい。
【００３９】
図１７、図１８は、本発明によって実際の植物を栽培する構成を示したものである。自治体によっては建物の屋上に緑化することを義務付けてるところもあり、建物の屋上を緑化するために観賞用の綺麗な草花を生育すれば、ヒートアイランド現象の低減や光合成作用によるＣＯ2削減の効果が得られる。然しながらそれを実現するには、次の幾つかのハードルがあり、その実現は容易ではなかった。
１）生育するのに土が必要であり、吸水材５上に土を盛って構成しなければならない。
２）観賞用の草花は、雨水だけでは生育できなく、定期的に給水する上水（水道）の設備や肥料の供給が必要である。
３）建物の屋上は強固な造りになってなく、屋上緑化には軽量化が条件で、１平方メートルあたり６０ｋｇまでの制限がある。（ＴＢＳの番組で放映した内容）
４）定期的なメンテナンス（水や肥料をやったり雑草を抜いたり）が必要で、設備費や維持費がかなりかかる。
以上の諸事情から、建物の屋上の緑化は容易ではないが、実際に緑化できれば、緑化による断熱効果で冷房費や暖房費を削減でき、実際に年間の電気使用料を１０％削減できた実例もある。（ＴＢＳの番組で放映した内容）また緑化することで美化や気持ちの安らぎを得られるといった効果もある。そこで本発明の自動潅水システムの構成によって苔を栽培することで、建物の屋上や壁面や屋根に、自然の恵みの雨だけで維持費もかからず簡単に緑化でき、しかも地球温暖化対策にかなり貢献できる。
【００４０】
苔について苔の持つ特性（性質）を詳述すると、苔は４億年も前に海から地上に上がった最初の植物であり、その当時の地球の環境は二酸化炭素が現在の２０倍の環境であり、その厳しい環境で生き抜いてきた苔は、非常に生命力の強い生物で、現在世界に２万４千種、日本に２千５百種ほど生育している。また苔は他の植物と違って発達した根を持たない植物で、苔は葉から霧や雨、空気中に漂う水分を吸収して生育できる。また苔は乾燥すると葉を縮めて休眠状態になるため、その状態でも半年位は緑色を保ち、その後黄色や茶色に変色しても数ヶ月から１年位はそのまま生き続けることができ、その後水分を与えれば再生します。そのため自然の恵みの雨でも十分生育できます。（但し、乾燥して水が無い状態であると休眠するため、その状態では光合成は行われない。）それに一般の樹木が枯れて腐敗すると、吸収したＣＯ2以上のＣＯ2を発生するのに対して、苔は光合成で吸収したＣＯ2を完全固定化できます。
【００４１】
苔植物は蘇類と苔類に大別でき、蘇類にはスギゴケ、スナゴケ、ハイゴケ、ミズゴケ、苔類にはゼニゴケ等があります。そして生育の仕方によって、半日陰性の乾燥性、半日陰性の湿潤性、好日性の湿潤性に大別できます。
【００４２】
苔植物の中で地球温暖化防止のために特に注目すべきスナゴケは、自重の約２０倍もの水分を保つことができ、乾燥に強く日当たりの良い場所で育ち、暑さや寒さの気温の変化に強く、そして土や肥料が不要で無機質（砂、石、ガラス、コンクリート等）の基板でも育つため、本発明を実施する上で苔植物ではスナゴケが好適である。それで苔は水分が無い乾燥した状態であれば休眠状態となり、その間は光合成も休止してしまうが、本発明の構成によって雨が降らない間も適度に水分を補給し続けることができ、苔による光合成を長く継続できます。そのため地球温暖化対策のひとつの鍵となる屋上の緑化において、本発明の構成によって苔植物を栽培することで、維持費やメンテナンスの必要がなく、光合成を半永久的に継続して栽培できます。
【００４３】
本発明によって実施する苔植物の栽培方法について、図１７に基づいてその実施例を詳述する。図１７（ａ）（ｃ）は設置面に吸水材５のみ敷いて構成したものである。苔の栽培においては土が要らなく、水が蒸散する吸水材５上に直接苔を栽培することができます。図１７（ｄ）は吸水材５の上層を吸水性の吸水材５ａで形成し、その下層を植物の根の進入を防ぎ透水する吸水材５ｂで構成したものである。吸水材５及び吸水材５ａの実施例としては、東洋紡績社の微細ポリエステル繊維でなるジャームガード（登録商標）で実施でき、その商品の吸水能力については図１９に示すように時間と共に吸水していき、給水管４と吸水材５ｂが同一水位上にあれば、吸水材５ｂ全体はやがて均一に吸水した状態になる。また吸水材５ｂについては、東洋紡績社のポリエステル複合シートでなる底面給水マット（登録商標）や、ポリエステル高密度繊維でなる防根透水シート（登録商標）で実施できる。図１７（ｅ）は吸水材５の下面に防水材６を具備したものである。屋上のコンクリート面に直接吸水材５を敷いた場合、そのコンクリート面から水が余分に浸透していくため、その浸透を防ぐためシリコン材等でなる防水材６を具備することができる。図１７（ｆ）はその防水材６の下面に接着材７を具備したものである。台風や強風によって吸水材５が捲りあがってしまうことも考えられるが、接着材７でコンクリート面に適当に接着することで捲りあがることがなく、しっかり固定できる。また図１８（ａ）のように建物の壁面に設ける場合は、その壁面に接着材等で固定しなければならない。接着材７としてはシリコン系の接着材等で実施でき、また剥離紙を剥いで貼る方式の接着材７で構成してもよい。図１７（ｇ）は吸水材５の面上に立体網材８を具備したものである。立体網材８内に吸水性の素材を充填して、その吸水性の素材にも苔を栽培することができます。その構成によって立体的に栽培できるため、それだけ栽培面積が広がりその光合成作用の効果も大きく実施できます。立体網材８としては東洋紡績社のコスモジオ（登録商標）や、吸水性の素材としては東洋紡績社のランシールＦ（登録商標）で実施できます。
【００４４】
図１８は、実際の建物に本発明を設けて実施した状態を示したものである。図１８（ｂ）は建物１０の屋上１０Ａに実施したものである。屋上１０Ａが無電源で無上水（無水道水）の状態でも、本発明の構成によって自然の恵みの雨だけで苔の生育ができ、しかも維持費やメンテナンスの必要がありません。植物の光合成作用が活発に行われる条件としては、光（太陽光）が十分あること、気温が高いこと、そして周りのＣＯ2の濃度が高いことが必要です。そのため建物の屋上はまさにこの諸条件を満たしており、本発明を特に利用されてない余剰スペースの屋上で実施することは最適な環境となります。
【００４５】
本発明者は自宅の風呂の浴槽（縦５４ｃｍ×横９７ｃｍ×深さ５０ｃｍ）に、水道水をポタ、ポタ、ポタの間隔で垂らして注いだが、その浴槽が満杯になるのに約４日半を要した。そのため逆に浴槽に溜まった水をその分づつ流し続ければ、４日半流し続けられることになります。しかし実際には浴槽に溜まった水の水圧は、排出口にもろに全水圧が加わるため、その水圧によって排出口から常時水が排出されるため、いくら排出口の開口を狭めても数１０分から数時間で浴槽の水は全部排水しきってしまう。そこで本発明の自動潅水システムでは、必要分のみ水を給水できるため、４日半流し続けることも可能となります。
【００４６】
栽培する苔は前記したように、日当たりの良い場所で育ち、暑さや寒さの気温の変化に強いスナゴケが好適であり、また貯水タンク１の設置については、屋上にはアンテナ設備や空調設備の何らかの設備が必ずといってあるため、その設備と一緒にしっかり固定することもできる。図１８（ａ）は建物１０の壁面１０Ｂに実施したもので、吸水材５に給水された水は、水の表面張力による毛細管現象で吸水材５内に吸水していくのと同時に、下方への重力が加わるため、吸水材５内に吸水する水は、上方から下方へとまんべんなく浸透しながら下降していくことになる。図１８（ｃ）は建物１０の屋根１０Ｃに実施したもので、屋根１０Ｃは適度に斜めに傾斜してるため、同様に重力で水が吸水材５内に浸透して下降し易くなる。屋根１０Ｃ上に苔９を栽培することで緑化（美化）にもなるが、断熱効果により冬は保温し、夏は熱を遮断する作用があるため、冷暖房の稼動を抑えて省エネ効果にもなる。特に各家庭でＣＯ2の排出量は年々増えており、各家庭でＣＯ2を削減できることが望まれる。
【００４７】
本発明の構成において、前記の開口部１ｂや導水管３の開口面積や、浮力体２や浮力蓋体２Ａの大きさは、必要な給水する水量に応じて適当に設定してよく、浮力体２や浮力蓋体２Ａは中空構造でも発泡構造や密な構造でもよく、またその表面をゴム質で形成し、開口部１ｂとの密閉状態を上げることもできる。またその形状も球体の他に断面が円状の錐体でもよい。浮力体２の断面は円状が望ましく、円状にすることで浮力による力を開口部１ｂの開口面に均等に加えることができる。また吸水材５は前記の微細ポリエステル繊維以外に、高分子吸収体やポリグルタミン酸架橋体のプラスチック材や、ガラス繊維やグラスウールや不織布やポリアミド繊維等で実施できる。また貯水タンク１の構成も、貯水室１Ａとは別体の分室１Ｂを合体して仕切り部１ｈを形成して構成してもよいし、また貯水室１Ａとは別体の分室１Ｂと別体の一時貯水室１Ｃを各合体して上方と下方の仕切り部１ｈを各形成して構成してもよい。また各実施例の構成で、貯水タンク１の適所に外から若干空気が流入するようにピンホールの孔を開けて構成してもよいし、また導水管３内に吸水材を充填してまたは紐状の吸水材５ｃを通して、その吸水材によって水を導水するように構成してもよい。また各実施例の構成で、貯水室１Ａや分室１Ｂや一時貯水室１Ｃの排出口１ｄに挿入して設けた導水管３の代わりに、適当幅に形成した排出口１ｄに適当長幅の吸水材５を直接挿入して構成してもよい。また貯水タンク１の雨水を溜める容量も、降水量が違う地域によって適当に設計でき、例えば東京の例年の降雨日数の平均は、少ない１月と１２月で５日間、多い６月で１２日間となっており、その降雨日数に降水量や気温や湿度をふまえて十分な容量を設計することができる。また本発明は、降雨する雨水のみに限らず、上水（水道水）を貯水タンク１に溜めて実施することもでき、それによって必要量に応じた適量の水を供給できるため、無駄な上水の消費も無くなる。図２１は本発明の貯製タンク１の実施例の写真を示す。尚、本発明の各実施例の構成で、雨受け部１ａと貯水部１ｊの間にろ過するフィルタを設けて雨水を通すようにしてもよく、そのフィルタによって貯水タンク１内に異物（鳥のふんや浮遊物）が入るのを防止できる。また本発明は、貯水タンク１内に溜める水が雨水のみに限らず一般の水道水を溜めて実施することもでき、例えば貯水タンク１内の水量を監視するセンサを設けておき、水が無くなった時点で自動的に貯水タンク１内に給水するようにすることもでき、その場合従来のセンサを使った潅水システムと比べて、植物の生育のための無駄な水が余分に給水されることがないため、本発明は従来の潅水システムと比べて節水効果がある。
【００４８】
夏に打水（水を撒くこと）による水の気化熱を利用して、地面の温度を下げることがなされるが、その水も上水（水道水）を使うため、結局ＣＯ2を発生する結果になってしまう。本発明は自然の恵みの雨水のみで実施できるため、ＣＯ2を全く排出することがなく、ヒートアイランド現象の低減や光合成作用によるＣＯ2削減に大いに貢献できます。また本発明を建物の屋上や屋根に設置することで、その断熱効果によって冷暖房の消費電力が抑えられ、省エネによるＣＯ2削減にも大いに貢献できます。また都市の緑化や美化にも役立てられます。
【図面の簡単な説明】
【００４９】
【図１】（ａ）本発明の１実施例を実施した一部の縦断面図（ｂ）本発明の１実施例を実施した一部の斜視図
【図２】（ａ）本発明の１実施例を実施した一部の縦断面図（ｂ）本発明の１実施例を実施した一部の斜視図（ｃ）本発明の１実施例を実施した一部の縦断面図
【図３】（ａ）（ｂ）（ｃ）本発明の１実施例を実施した一部の縦断面図
【図４】（ａ）（ｂ）本発明の１実施例を実施した一部の縦断面図
【図５】本発明の１実施例を実施した一部の縦断面図
【図６】（ａ）（ｂ）（ｃ）本発明の１実施例を実施した一部の縦断面図
【図７】本発明の１実施例を実施した一部の縦断面図
【図８】（ａ）（ｂ）（ｃ）（ｄ）本発明の１実施例を実施した一部の縦断面図
【図９】（ａ）（ｂ）（ｃ）本発明の１実施例を実施した一部の縦断面図
【図１０】本発明の１実施例を実施した一部の縦断面図
【図１１】（ａ）（ｃ）（ｄ）（ｅ）本発明の１実施例を実施した一部の縦断面図（ｂ）（ｆ）本発明の１実施例を実施した一部の側面図
【図１２】（ａ）本発明の１実施例を実施した一部の縦断面図（ｂ）（ｃ）本発明の１実施例を実施した一部の側面図（ｄ）本発明の１実施例を実施した一部の上面図
【図１３】（ａ）（ｂ）（ｃ）本発明の１実施例を実施した一部の縦断面図
【図１４】（ａ）（ｂ）（ｃ）（ｄ）本発明の１実施例を実施した一部の縦断面図
【図１５】（ａ）（ｂ）本発明の１実施例の一部の斜視図（ｃ）本発明の１実施例の一部のＸ−Ｙ方向の縦断面図（ｄ）（ｅ）（ｆ）本発明の１実施例の一部の縦断面図
【図１６】（ａ）（ｃ）本発明の１実施例の一部の斜視図（ｂ）本発明の１実施例を実施した一部の縦断面図
【図１７】（ａ）本発明の１実施例の斜視図（ｂ）本発明の１実施例のＸ−Ｙ方向の縦断面図（ｃ）（ｄ）（ｅ）（ｆ）（ｇ）本発明の１実施例の一部の斜視図
【図１８】（ａ）（ｂ）（ｃ）本発明を実施した実施例の斜視図
【図１９】本発明の一部の吸水能力を示すデータの概略図
【図２０】（ａ）（ｂ）（ｃ）（ｄ）本発明の原理を示す縦断面図
【図２１】（ａ）本発明の貯水タンクの実施例の斜視からの写真図（ｂ）本発明の貯水タンクの実施例の正面からの写真図
【符号の説明】
【００５０】
１  ：  貯水タンク
１Ａ  ：  貯水室
１Ｂ  ：  分室
１Ｃ  ：  一時貯水室
１ａ  ：  雨受け部
１ｂ  ：  開口部
１ｃ  ：  囲い部
１ｄ  ：  排出口
１ｅ  ：  バルブ
１ｆ  ：  フィルタ
１ｇ  ：  スタンド
１ｈ  ：  仕切り部
１ｉ  ：  浮きシート
１ｊ  ：  貯水部
１ｋ  ：  導水材
１ｌ  ：  空間部
１ｍ  ：  流入部
２  ：  浮力体
２Ａ  ：  浮力蓋体
２ａ  ：  てこ腕
２ｂ  ：  支軸部
２ｃ  ：  閉栓部
３  ：  導水管
４  ：  給水管
４ａ  ：  中空部
４ｂ  ：  隙間部
４ｃ  ：  開口
４ｄ  ：  給水口
４ｅ  ：  留め具
５  ：  吸水材
５ａ  ：  （吸水性の）吸水材
５ｂ  ：  （防根透水の）吸水材
５ｃ  ：  紐状の吸水材
６  ：  防水材
７  ：  接着材
８  ：  立体網材
９  ：  苔
１０  ：  建物
１０Ａ  ：  屋上
１０Ｂ  ：  壁面
１０Ｃ  ：  屋根
１１  ：  偏心容器
１１ａ  ：  支軸
１１ｂ  ：  支持部
１１ｃ  ：  重量部
１１ｄ  ：  作動部
１１ｅ  ：  ストッパー
１２  ：  蓋体
１３  ：  搬送管
１３ａ  ：  作動棒
１３ｂ  ：  ばね
１３ｃ  ：  封止弁
１３ｄ  ：  封止口
【図１】
0004809380.tif 000002
【図２】
0004809380.tif 000003
【図３】
0004809380.tif 000004
【図４】
0004809380.tif 000005
【図５】
0004809380.tif 000006
【図６】
0004809380.tif 000007
【図７】
0004809380.tif 000008
【図８】
0004809380.tif 000009
【図９】
0004809380.tif 000010
【図１０】
0004809380.tif 000011
【図１１】
0004809380.tif 000012
【図１２】
0004809380.tif 000013
【図１３】
0004809380.tif 000014
【図１４】
0004809380.tif 000015
【図１５】
0004809380.tif 000016
【図１６】
0004809380.tif 000017
【図１７】
0004809380.tif 000018
【図１８】
0004809380.tif 000019
【図１９】
0004809380.tif 000020
【図２０】
0004809380.tif 000021
【図２１】
0004809380.tif 000022